(57)【要約】  システム演算部（１０２）は、複数の換気装置が設置されている、換気を要する屋内空間で必要な換気量である必要換気量を算出する。また、システム演算部（１０２）は、必要換気量に基づき、複数の換気装置の換気装置ごとに、各換気装置で発生させる換気量である個別換気量を決定する。
2020110185.tif 000002
【特許請求の範囲】
【請求項１】
複数の換気装置が設置されている、換気を要する屋内空間で必要な換気量である必要換気量を算出する必要換気量算出部と、
前記必要換気量に基づき、前記複数の換気装置の換気装置ごとに、各換気装置で発生させる換気量である個別換気量を決定する個別換気量決定部とを有する換気調整装置。
【請求項２】
前記個別換気量決定部は、
前記個別換気量を、換気装置ごとに変化させて決定する請求項１に記載の換気調整装置。
【請求項３】
前記換気調整装置は、更に、
前記屋内空間を、人が所在している有人ゾーンと人が所在していない無人ゾーンとに区分するゾーン区分部と、
前記必要換気量に基づき、前記有人ゾーンで発生させる換気量と前記無人ゾーンで発生させる換気量とを決定するゾーン換気量決定部とを有し、
前記個別換気量決定部は、
前記有人ゾーンで発生させる換気量に基づき、前記有人ゾーンに設置されている換気装置の個別換気量を決定し、
前記無人ゾーンで発生させる換気量に基づき、前記無人ゾーンに設置されている換気装置の個別換気量を決定する請求項１に記載の換気調整装置。
【請求項４】
前記ゾーン換気量決定部は、
外気温度に応じて、前記有人ゾーンで発生させる換気量と前記無人ゾーンで発生させる換気量とを変化させる請求項３に記載の換気調整装置。
【請求項５】
前記ゾーン換気量決定部は、
外気温度と前記屋内空間の屋内温度との関係に応じて、前記有人ゾーンで発生させる換気量と前記無人ゾーンで発生させる換気量とを変化させる請求項３に記載の換気調整装置。
【請求項６】
前記ゾーン換気量決定部は、
前記有人ゾーンに設置されている換気装置の換気量制御方式と前記無人ゾーンに設置されている換気装置の換気量制御方式とが前記外気温度と前記屋内温度との関係に応じて定義されている制御方式定義情報を参照し、
前記外気温度と前記屋内温度との関係に応じて、前記有人ゾーンに設置されている換気装置を前記制御方式定義情報で定義されている換気量制御方式で制御した場合に前記有人ゾーンで発生する換気量を予測有人ゾーン換気量として算出し、
前記外気温度と前記屋内温度との関係に応じて、前記無人ゾーンに設置されている換気装置を前記制御方式定義情報で定義されている換気量制御方式で制御した場合に前記無人ゾーンで発生する換気量を予測無人ゾーン換気量として算出し、
前記予測有人ゾーン換気量と前記予測無人ゾーン換気量とに基づき、前記有人ゾーンで発生させる換気量と前記無人ゾーンで発生させる換気量とを決定する請求項５に記載の換気調整装置。
【請求項７】
前記ゾーン換気量決定部は、
前記予測有人ゾーン換気量と前記予測無人ゾーン換気量の合計値と前記必要換気量とを比較し、
前記予測有人ゾーン換気量と前記予測無人ゾーン換気量との合計値が前記必要換気量未満である場合及び前記予測有人ゾーン換気量と前記予測無人ゾーン換気量との合計値が規定範囲を超えて前記必要換気量を上回っている場合のいずれかにおいて、前記予測有人ゾーン換気量及び前記予測無人ゾーン換気量のいずれかを、算出条件を変更して新たに算出する請求項６に記載の換気調整装置。
【請求項８】
前記ゾーン換気量決定部は、
前記外気温度が前記屋内温度を超えている場合に、前記無人ゾーンで発生させる換気量が前記有人ゾーンで発生させる換気量よりも多くなるように前記有人ゾーンで発生させる換気量と前記無人ゾーンで発生させる換気量とを決定する請求項５に記載の換気調整装置。
【請求項９】
前記ゾーン換気量決定部は、
前記外気温度が前記屋内温度を超えている場合に、前記有人ゾーンに設置されている換気装置を実負荷制御方式により制御した場合に前記有人ゾーンで発生する換気量を予測有人ゾーン換気量として算出し、前記無人ゾーンに設置されている換気装置を換気ファン回転数固定方式により制御した場合に前記無人ゾーンで発生する換気量を予測無人ゾーン換気量として算出し、前記予測有人ゾーン換気量と前記予測無人ゾーン換気量とに基づき、前記有人ゾーンで発生させる換気量と前記無人ゾーンで発生させる換気量とを決定する請求項６に記載の換気調整装置。
【請求項１０】
前記ゾーン換気量決定部は、
前記外気温度が前記屋内空間の屋内温度以下である場合に、前記有人ゾーンで発生させる換気量が前記無人ゾーンで発生させる換気量よりも多くなるように前記有人ゾーンで発生させる換気量と前記無人ゾーンで発生させる換気量とを決定する請求項５に記載の換気調整装置。
【請求項１１】
前記ゾーン換気量決定部は、
前記外気温度が前記屋内温度以下である場合に、前記有人ゾーンに設置されている換気装置を換気ファン回転数固定方式及び室内温度制御方式のいずれかにより制御した場合に前記有人ゾーンで発生する換気量を予測有人ゾーン換気量として算出し、前記無人ゾーンに設置されている換気装置を実負荷制御方式により制御した場合に前記無人ゾーンで発生する換気量を予測無人ゾーン換気量として算出し、前記予測有人ゾーン換気量と前記予測無人ゾーン換気量とに基づき、前記有人ゾーンで発生させる換気量と前記無人ゾーンで発生させる換気量とを決定する請求項１０に記載の換気調整装置。
【請求項１２】
前記ゾーン換気量決定部は、
前記外気温度が前記屋内温度よりも低く、規定の閾値以下である場合に、前記外気温度が低下するにつれて前記有人ゾーンにおける換気量が減少し、前記無人ゾーンにおける換気量が増加するように前記有人ゾーンで発生させる換気量と前記無人ゾーンで発生させる換気量とを決定する請求項１０に記載の換気調整装置。
【請求項１３】
前記ゾーン換気量決定部は、
前記外気温度が前記閾値以下である場合に、前記有人ゾーンに設置されている換気装置を室内温度制御方式により制御した場合に前記有人ゾーンで発生する換気量を予測有人ゾーン換気量として算出し、前記無人ゾーンに設置されている換気装置を実負荷制御方式により制御した場合に前記無人ゾーンで発生する換気量を予測無人ゾーン換気量として算出し、前記予測有人ゾーン換気量と前記予測無人ゾーン換気量とに基づき、前記有人ゾーンで発生させる換気量と前記無人ゾーンで発生させる換気量とを決定する請求項１２に記載の換気調整装置。
【請求項１４】
前記屋内空間には空気調和機器が設置されており、
前記換気調整装置は、更に、
前記有人ゾーンに設置されている換気装置を前記室内温度制御方式により制御する場合に、前記室内温度制御方式での目標温度を前記空気調和機器の現在の設定温度よりも高い温度に設定する目標温度管理部を有する請求項１３に記載の換気調整装置。
【請求項１５】
前記換気調整装置は、更に、
前記目標温度管理部により前記室内温度制御方式での目標温度が前記空気調和機器の現在の設定温度よりも高い温度に設定された場合に、前記空気調和機器の運転モードをサーモオフモード及び送風モードのいずれかに変更するモード管理部を有する請求項１４に記載の換気調整装置。
【請求項１６】
前記必要換気量算出部は、
前記屋内空間に所在する人数及び前記屋内空間での二酸化炭素濃度のうちの少なくともいずれかに基づき、前記屋内空間に要する必要換気量を算出する請求項３に記載の換気調整装置。
【請求項１７】
コンピュータが、複数の換気装置が設置されている、換気を要する屋内空間で必要な換気量である必要換気量を算出し、
前記コンピュータが、前記必要換気量に基づき、前記複数の換気装置の換気装置ごとに、各換気装置で発生させる換気量である個別換気量を決定する換気調整方法。
【発明の詳細な説明】
【技術分野】
【０００１】
本発明は、換気量の制御に関する。
【背景技術】
【０００２】
オフィスなどの屋内空間（以下、室内ともいう）の換気及び温度調整を行う空気調和システムでは、屋内空間に複数台の空気調和機器及び換気装置が配置されていることがある。このような空気調和システムでは、室内に所在する人数を検知する人感センサが設置されていることがある。そして、人感センサの検知結果に基づき、室内に人が所在しているか否かに応じて室内環境を調整する技術が存在する（例えば、特許文献１）。
【先行技術文献】
【特許文献】
【０００３】
【特許文献１】特開２０１２−２６６９７号公報
【発明の概要】
【発明が解決しようとする課題】
【０００４】
特許文献１の設備制御システムは、人感センサの感知信号に基づいて照明設備及び空気調和設備を制御する。つまり、特許文献１の設備制御システムは、人がいないエリアでは照明設備を消灯する。また、特許文献１の設備制御システムは、人がいないエリアでは、空気調和設備を停止させる。このため、特許文献１の技術によれば、省エネルギー効果が得られる。【０００５】
空気調和における省エネルギー効果を大きくするためには、効率的に換気量を調整することが重要であるが、特許文献１の技術では換気装置の制御は行われていない。
このため、特許文献１の技術では、換気量の調整による空気調和負荷の削減効果が得られておらず、空気調和における省エネルギー効果が十分に得られないという課題がある。【０００６】
本発明はこのような課題を解決することを主な目的とする。つまり、本発明は、換気量を効率的に調整して空気調和における省エネルギー効果を得ることを主な目的とする。
【課題を解決するための手段】
【０００７】
本発明に係る換気調整装置は、
複数の換気装置が設置されている、換気を要する屋内空間で必要な換気量である必要換気量を算出する必要換気量算出部と、
前記必要換気量に基づき、前記複数の換気装置の換気装置ごとに、各換気装置で発生させる換気量である個別換気量を決定する個別換気量決定部とを有する。
【発明の効果】
【０００８】
本発明によれば、換気量を効率的に調整することができるため、空気調和における省エネルギー効果を得ることができる。
【図面の簡単な説明】
【０００９】
【図１】実施の形態１に係るオフィスのレイアウト例を示す図。
【図２】実施の形態１に係る空気調和エリアの例を示す図。
【図３】実施の形態１に係る空気調和システムの例を示す図。
【図４】実施の形態１に係るシステム制御装置の機能構成例を示す図。
【図５】従来技術の換気方法を示す図。
【図６】実施の形態１に係る換気方法を示す図。
【図７】実施の形態１に係るシステム制御装置の動作例を示すフローチャート。
【図８】実施の形態１に係るシステム制御装置の動作例を示すフローチャート。
【図９】実施の形態１に係るシステム制御装置のハードウェア構成例を示す図。
【発明を実施するための形態】
【００１０】
以下、本発明の実施の形態について、図を用いて説明する。以下の実施の形態の説明及び図面において、同一の符号を付したものは、同一の部分又は相当する部分を示す。
【００１１】
実施の形態１．
＊＊＊構成の説明＊＊＊
図１は、本実施の形態に係るオフィス５００のレイアウト例を示す。図１に示すオフィス５００は屋内空間の例である。
【００１２】
図１に示すオフィス５００では、業務内容別にグループが形成されている。図１では、グループＥ、グループＦ、グループＧ及びグループＨという４つのグループが存在する。
グループＥでは、グループリーダー席３１２Ｅが存在する。グループＦでは、グループリーダー席３１２Ｆが存在する。グループＧでは、グループリーダー席３１２Ｇが存在する。グループＨでは、グループリーダー席３１２Ｈが存在する。
また、グループＥでは、担当者席３１１Ａと３１１Ｅが存在する。グループＦでは、担当者席３１１Ｂと３１１Ｆが存在する。グループＧでは、担当者席３１１Ｇが存在する。グループＨでは、担当者席３１１Ｄと３１１Ｈが存在する。なお、担当者席３１１Ａ〜Ｈは、各々、６つの席で構成される。また、打合せスペース３１３Ｃは、打ち合わせのために設けられたスペースである。打合せスペース３１３Ｃでは、適宜打ち合わせを行う者が着席する。
【００１３】
また、オフィス５００への入退出はドア３１５Ａとドア３１５Ｄにより行われる。ドア３１５Ａからドア３１５Ｄへの直線部分は通路として利用される。ドア３１５Ａ及びドア３１５Ｄの横には入退出管理装置２０１が設置されている。入退出管理装置２０１は、ドア３１５Ａ、３１５Ｄを通過した人数を管理（カウント）することでオフィス５００の在室人数を把握している。
【００１４】
次に、図２を用いて、オフィス５００での空気調和機器３０１Ａ−３０１Ｈと給気口３０３Ａ−３０３Ｈのレイアウトを説明する。
なお、以下では、空気調和機器３０１Ａ−３０１Ｈを区別する必要が無い場合は、空気調和機器３０１Ａ−３０１Ｈをまとめて空気調和機器３０１という。給気口３０３Ａ−３０３Ｈを区別する必要が無い場合は、給気口３０３Ａ−３０３Ｈをまとめて給気口３０３という。
【００１５】
オフィス５００は、換気が必要であり、空気調和機器３０１及び給気口３０３により換気が行われる。
オフィス５００は、空気調和エリア３０５Ａ−３０５Ｈに分かれる。つまり、空気調和の対象は空気調和エリア３０５Ａ―３０５Ｈの８エリアとなる。なお、図２では、各エリアの境界を説明上の理由で破線で示しているが、オフィス５００内に壁が設けられているわけではない。以下では、空気調和エリア３０５Ａ−３０５Ｈを区別するが無い場合は、空気調和エリア３０５Ａ−３０５Ｈをまとめて空気調和エリア３０５という。
図２の例では、各空気調和エリア３０５には空気調和機器３０１と給気口３０３が設けられている。しかしながら、給気口３０３の位置は図２の例に限定されない。例えば、給気口３０３Ｄを削除して、給気口３０３Ｃを空気調和エリア３０５Ｃと空気調和エリア３０５Ｄの間に置き、給気口３０３Ｃが二つのゾーンの換気を行うようにしてもよい。また、オフィス５００内で必ずしも空気調和機器３０１の設置数と給気口３０３の設置数を同じにする必要はない。
また、各空気調和機器３０１は、システム制御装置１０１に接続されている。図２では、作図上の理由により、空気調和機器３０１Ｄと空気調和機器３０１Ｈのみがシステム制御装置１０１に接続されているが、すべての空気調和機器３０１がシステム制御装置１０１に接続されているものとする。システム制御装置１０１は、後述する各空気調和機器３０１に搭載されている空気調和機器制御装置１２１を介して各空気調和機器３０１を制御する。
また、各給気口３０３も、システム制御装置１０１に接続されている。図２では、作図上の理由により、給気口３０３Ａと給気口３０３Ｅのみがシステム制御装置１０１に接続されているが、すべての給気口３０３システム制御装置１０１に接続されているものとする。システム制御装置１０１は、後述する各給気口３０３に搭載されている換気制御装置１４１を介して各給気口３０３を制御する。
システム制御装置１０１は、換気調整装置に相当する。また、システム制御装置１０１により行われる動作は、換気調整方法に相当する。システム制御装置１０１の詳細は後述する。
【００１６】
図３は、本実施の形態１に係る空気調和システム１００の接続関係を示す。
図３は、空気調和エリア３０５Ｂ、３０５Ｃにおける空気調和システム１００のみを示すが、他の空気調和エリア３０５についても同様の構成となっている。
【００１７】
以下、空気調和エリア３０５Ｂについて説明するが、空気調和エリア３０５Ｃ及び他の空気調和エリア３０５でも同様である。
空気調和機器３０１Ｂは、中央より室内空気を吸い込む。また、吸い込まれた室内空気は、空気調和機器３０１Ｂを流れる冷媒（図示せず）により冷却（冷房の場合）され、室内に吹き出されることで空気調和エリア３０５Ｂの温度調節（冷却）を行う。
また、ダクト３０６Ｂより吸入された外気が換気装置３０２Ｂ及びダクト３０４Ｂを経由して給気口３０３Ｂから室内に導入される。なお、換気装置３０２は上板にて金具で天井壁に接続され、吊られている。また、室内空気を室外へ排出するための排気口は通常、天井全体に均等に設置されている照明設備３０９Ｂの構成品に組み込まれている。照明設備３０９Ｂから吸い込まれた室内空気はダクト３１４Ｂを経由して換気装置３０２Ｂを通過し、その後、ダクト３１０Ｂから室外へ放出される。
【００１８】
また、空気調和機器３０１Ｂには人感センサ２０３Ｂが設置されている。人感センサ２０３Ｂは、空気調和機器３０１Ｂが据え付けられている空気調和エリア３０５Ｂでの人の有無を検出する。以下、人が所在する１つ以上のエリアを有人ゾーンという。一方、人が所在していない１つ以上のエリアを無人ゾーンという。
例えば、空気調和エリア３０５Ａに設置されている人感センサ２０３Ａ、空気調和エリア３０５Ｂに設置されている人感センサ２０３Ｂ、空気調和エリア３０５Ａに設置されている人感センサ２０３Ｇが、それぞれ人を検知した場合を考える。この場合は、空気調和エリア３０５Ａ、３０５Ｂ、３０５Ｇが有人ゾーンとして扱われる。一方、空気調和エリア３０５Ｃ、３０５Ｄ、３０５Ｅ、３０５Ｆ、３０５Ｈは無人ゾーンとして扱われる。
人感センサ２０３は、例えば、赤外線センサである。
本実施の形態では、換気装置３０２の換気ファンはＤＣモーターを用いて動作する。換気装置３０２の換気ファンでは、ファン回転数を連続的に選択することができ、ファン回転数を変化させることができる。換気装置３０２には温度センサ２０２Ｂが設けられている。温度センサ２０２Ｂは、ダクト３０６から侵入する外気の温度を検出する外気温度センサと、ダクト３１４から侵入する室内空気の温度を検出する室内温度センサとして機能する。
【００１９】
空気調和機器３０１Ｂには、空気調和機器制御装置１２１Ｂが設けられている。空気調和機器制御装置１２１Ｂは、例えば、マイクロコンピュータにより構成される。
空気調和機器制御装置１２１Ｂは、種々の制御パラメータを演算する。また、空気調和機器制御装置１２１Ｂは、空気調和機器３０１Ｂの運転モード（冷房運転、送風運転、停止）を制御する。また、空気調和機器制御装置１２１Ｂは、システム制御装置１０１に空気調和機器３０１Ｂの現在の運転モードを通知する。また、空気調和機器制御装置１２１Ｂは、システム制御装置１０１からの制御値を受信する。
なお、空気調和機器制御装置１２１Ａ−Ｈを区別する必要が無い場合は、空気調和機器制御装置１２１Ａ−Ｈをまとめて空気調和機器制御装置１２１という。
【００２０】
換気装置３０２Ｂには、換気制御装置１４１Ｂが設けられている。換気制御装置１４１Ｂは、例えばマイクロコンピュータにより構成される。
換気制御装置１４１Ｂは、種々の制御パラメータを演算する。また、換気制御装置１４１Ｂは、換気装置３０２Ｂの換気ファンの回転数を制御する。また、換気制御装置１４１Ｂは、システム制御装置１０１に換気ファンの回転数などの動作値を送信する。また、換気制御装置１４１Ｂは、システム制御装置１０１からの制御値を受信する。また、換気制御装置１４１Ｂには、回転ファンの回転数「ｒｐｍ」に対する換気風量値「ｍ３／ｈ」が記憶されている。
【００２１】
図４は、本実施の形態に係るシステム制御装置１０１の機能構成例を示す。また、図９は、本実施の形態に係るシステム制御装置１０１のハードウェア構成例を示す。
【００２２】
本実施の形態に係るシステム制御装置１０１は、コンピュータである。
システム制御装置１０１は、図９に示すように、ハードウェアとして、プロセッサ９０１、主記憶装置９０２、補助記憶装置９０３及び通信装置９０４を備える。
また、システム制御装置１０１は、機能構成として、図４に示すように、システム演算部１０２、システム制御部１０３、システム通信部１０４及びシステム記憶部１０５を備える。
補助記憶装置９０３には、システム演算部１０２、システム制御部１０３及びシステム通信部１０４の機能を実現するプログラムが記憶されている。
これらプログラムは、補助記憶装置９０３から主記憶装置９０２にロードされる。そして、プロセッサ９０１がこれらプログラムを実行して、後述するシステム演算部１０２、システム制御部１０３及びシステム通信部１０４の動作を行う。
図４では、プロセッサ９０１がシステム演算部１０２、システム制御部１０３及びシステム通信部１０４の機能を実現するプログラムを実行している状態を模式的に表している。
システム記憶部１０５は、例えば、主記憶装置９０２又は補助記憶装置９０３により実現される。
【００２３】
システム演算部１０２は、各種演算を行う。
より具体的には、システム演算部１０２は、オフィス５００を、人が所在している有人ゾーンと人が所在していない無人ゾーンとに区分する。
また、システム演算部１０２は、オフィス５００に要求される必要換気量のうち有人ゾーンで発生させる換気量と無人ゾーンで発生させる換気量とを決定する。また、システム演算部１０２は、外気温度とオフィス５００の室内温度（屋内温度）との関係に応じて、有人ゾーンで発生させる換気量と無人ゾーンで発生させる換気量とを変化させる。より具体的には、外気温度がオフィス５００の室内温度を超えている場合に、システム演算部１０２は、無人ゾーンで発生させる換気量が有人ゾーンで発生させる換気量よりも多くなるように有人ゾーンで発生させる換気量と無人ゾーンで発生させる換気量とを決定する。一方、外気温度がオフィス５００の室内温度以下である場合に、システム演算部１０２は、有人ゾーンで発生させる換気量が無人ゾーンで発生させる換気量よりも多くなるように有人ゾーンで発生させる換気量と無人ゾーンで発生させる換気量とを決定する。更に、外気温度がオフィス５００の室内温度よりも低く、規定の室温制御変更温度（閾値）以下である場合に、システム演算部１０２は、外気温度が低下するにつれて有人ゾーンにおける換気量が減少し、無人ゾーンにおける換気量が増加するように有人ゾーンで発生させる換気量と無人ゾーンで発生させる換気量とを決定する。
システム演算部１０２は、必要換気量算出部、個別換気量決定部、ゾーン区分部及びゾーン換気量決定部に相当する。
なお、外気温度及び室内温度は、温度センサ２０２により得られる。
【００２４】
システム制御部１０３は、空気調和機器制御装置１２１及び換気制御装置１４１を制御する。
具体的には、システム制御部１０３は、有人ゾーンに設置されている換気装置３０２を後述する室温制御方式により制御する場合に、室温制御方式での目標室内温度を空気調和機器３０１の現在の設定温度よりも高い温度に設定する。
また、システム制御部１０３は、室温制御方式での目標室内温度を空気調和機器３０１の現在の設定温度よりも高い温度に設定した場合に、空気調和機器３０１の運転モードをサーモオフモード及び送風モードのいずれかに変更する
システム制御部１０３は、目標温度管理部及びモード管理部に相当する。
【００２５】
システム通信部１０４は、空気調和機器制御装置１２１、換気制御装置１４１及び入退出管理装置２０１と通信を行う。
システム通信部１０４は、例えば、空気調和機器３０１の運転モードの変更を指示する制御値を空気調和機器制御装置１２１に送信する。
また、システム通信部１０４は、換気装置３０２の換気ファンの回転数を指示する制御値を換気制御装置１４１に送信する。
また、入退出管理装置２０１において入退出が検出された場合に、システム通信部１０４は、入退出管理装置２０１から検出結果を受信する。
【００２６】
システム記憶部１０５は、設定値、制御値、オフィス５００の床面積、オフィス５００の在室人数等を記憶する。
【００２７】
なお、各換気装置３０２の換気制御装置１４１は、換気ファンの回転数と換気装置３０２から吹出される換気量とが示される情報を保持している。
また、有人ゾーンの目標室内温度はシステム制御装置１０１のシステム通信部１０４が換気制御装置１４１に通知し、換気制御装置１４１において記憶される。
【００２８】
＊＊＊動作の説明＊＊＊
次に、本実施の形態に係るシステム制御装置１０１の動作例を説明する。
最初に、図５を参照して、従来の換気方法を説明する。
図５では、図１−図３に示すオフィス５００の換気を、システム制御装置１０１を用いないで行っているものとする。
なお、図５及び後述する図６では、冷房運転が行われるものとする。
【００２９】
換気装置３０２の換気ファンは換気量制御によって回転数が変更される。換気量制御方式には、換気ファン回転数固定方式（以下、単に回転数固定ともいう）、実負荷制御方式（以下、単に実負荷制御ともいう）、室内温度制御方式（以下、単に室温制御ともいう）の３つがある。
回転数固定とは、ユーザーがリモートコントローラ（図示せず）から設定した値に換気ファンの回転数（又はファンノッチ）を固定する方式である。回転数固定では、通常は換気効果（室内に熱気などが篭らないこと等）を高めるために換気ファンの回転数を高回転数に設定することが多い。
実負荷制御とは、オフィス５００に要求される必要換気量によって換気ファンの回転数を制御する方式である。必要換気量はオフィス５００の在室人数から求められる、オフィス５００に必要な換気量である。必要換気量は、例えば、入退出管理装置２０１の検出結果から得られる在室人数から算出される。また、必要換気量は、換気装置３０２に設置されている二酸化炭素センサにて検出される二酸化炭素濃度から算出されるようにしてもよい。この場合は、目標となる二酸化炭素濃度が予め換気装置３０２に記憶されており、二酸化炭素濃度が目標値となるように必要換気量が決定される。
室温制御とは、換気装置３０２の温度センサ２０２で検知された室内温度が空気調和機器３０１に設定されている設定室内温度となるように換気ファンの回転数を制御する方式である。
回転数固定又は室温制御が行われる場合は、各換気装置３０２の換気量は各制御により決定される換気量である。実負荷制御が行われる場合は、必要換気量から実負荷制御ではない（つまり、回転数固定と室温制御）が行われる換気装置３０２における換気量の合計値を差し引き、差し引きにより得られた値を、実負荷制御が行われている換気装置３０２が有する換気ファンの効率の良い回転数またはファンノッチに基づき実負荷制御が行われる換気装置３０２の換気量及び換気ファンの回転数が決定される。例えば実負荷制御が行われている換気装置３０２が４台有り、電力効率が強ノッチの方が弱ノッチより高い場合、単に換気量を台数で除すと（弱、弱、弱、弱）となるところを、（強、強、停止、停止）とする。
【００３０】
図５の（ａ）は、従来の換気方法における、オフィス５００内のエリア１での換気量制御方式を示す。図５の（ｂ）は、従来の換気方法における、オフィス５００内のエリア２での換気量制御方式を示す。図５の（ａ）及び図５の（ｂ）に示すように、従来の換気方法では、オフィス５００のいずれのエリアでも、共通に実負荷制御が行われる。つまり、エリア１及びエリア２のいずれでも、在室人数に応じて換気量が調整される。なお、図５では、説明の簡明性の観点から、オフィス５００をエリア１とエリア２に区分している。また、従来は、外気温度に関わらず、常に実負荷制御が行われる。
図５の（ｃ）は、エリア１の換気量とエリア２の換気量と、エリア１の換気量とエリア２の換気量との合計と、必要換気量との関係を示す。エリア１とエリア２の換気量は、図５の（ｃ）に示すように同じである。つまり、エリア１とエリア２の換気量は、ともに、オフィス５００の必要換気量の半分である。
また、図５の（ｄ）と図５の（ｅ）に示すように、エリア１及びエリア２ともに、室温制御における目標室内温度も、ユーザーに指定された空気調和機器３０１の設定温度が維持される。
【００３１】
このように、図５に示す従来の方法では、以下のような課題がある。
外気温度が室内温度よりも高いときは、人が所在している有人ゾーンの換気量を少なくすることが冷却効率の点からは望ましい。また、外気温度が室内温度よりも低いときは、有人ゾーンの換気量を多くすることが冷却効率の点からは望ましい。
しかしながら、図５に示す従来の換気制御では、有人ゾーンと無人ゾーンの区別が無い。このため、外気温度と室内温度との関係に応じて、有人ゾーン及び無人ゾーンで換気量を変化させることができない。従って、図５に示す従来の換気制御では、空気調和負荷を最小限にすることができず、省エネルギー性を損なっている。
【００３２】
図６は、本実施の形態に係るシステム制御装置１０１による換気方法を示す。
【００３３】
本実施の形態では、システム制御装置１０１は、前述のように、オフィス５００を有人ゾーンと無人ゾーンとに区分する。そして、システム制御装置１０１は、有人ゾーンと無人ゾーンとで別の換気量制御方式を用いる。
外気温度が室内温度よりも高い場合は、外気を無人ゾーンで給気した方が有人ゾーンの空気調和負荷を削減できる。一方で、外気温度が室内温度以下の場合は、外気を有人ゾーンで給気した方が有人ゾーンの空気調和負荷を削減できる。このため、本実施の形態では、有人ゾーンの換気量と無人ゾーンの換気量との合計換気風量をオフィス５００の必要換気量に合せるとともに、外気温度と室内温度の関係に応じて、有人ゾーン及び無人ゾーンの換気量を調整することで、空気調和の省エネルギー効果を大きくする。
本実施の形態では、外気温度と室内温度との関係に基づき、領域Ｉ−領域ＩＩＩの３つの温度領域が設けられている。
【００３４】
領域Ｉでは、外気温度が室内温度よりも高い。このため、領域Ｉでは、換気負荷が大きい。つまり、領域Ｉでは、換気量が多いほど室内の冷房負荷が高くなる。
【００３５】
領域ＩＩ及び領域ＩＩＩでは、外気温度が室内温度以下である。領域ＩＩでは、外気温度が規定の室温制御変更温度（閾値）よりも高く、領域ＩＩＩでは、外気温度が室温制御変更温度以下である。領域ＩＩでは、外気を室内に取り込むことによる冷房効果（外気冷房効果）が比較的小さい。一方、領域ＩＩＩでは、外気冷房効果が比較的大きい。
【００３６】
図６の（ａ）は、本実施の形態に係る、有人ゾーンでの換気量制御方式を示す。図６の（ｂ）は、本実施の形態に係る、無人ゾーンでの換気量制御方式を示す。
図６の（ａ）及び図６の（ｂ）に示すように、本実施の形態では、ゾーンの属性（有人ゾーン／無人ゾーン）と、外気温度と室内温度との関係（領域Ｉ／領域ＩＩ／領域ＩＩＩ）に応じて換気量制御方式が変化する。
【００３７】
具体的には、有人ゾーンでは、領域Ｉにおいて、実負荷制御が行われる。領域Ｉでは換気による有人ゾーンへの空気調和負荷をできるだけ小さくすることが望ましい。このため、領域Ｉでは、システム演算部１０２は、無人ゾーンの換気量制御方式を回転数固定に決定し、無人ゾーンの換気量を多くする。一方、システム演算部１０２は、有人ゾーンにて実負荷制御とすることで、有人ゾーンの換気量を小さくすることができる。この結果、有人ゾーンの空気調和負荷を抑制することができ、省エネルギー効果が得られる。
【００３８】
一方、領域ＩＩにおいて、有人ゾーンでは回転数固定が行われる。領域ＩＩは外気温度が室温以下であり、換気量が多いほど、外気冷房効果により、室内の冷房負荷が低くなる。領域ＩＩでは、換気量を多くすることによって有人ゾーンへの空気調和負荷をできるだけ小さくすることが望ましい。このため、システム演算部１０２は、有人ゾーンの換気量制御として回転数固定を用いて換気量を多くする。この結果、外気冷房効果で有人ゾーンの空気調和負荷を小さくすることができる。また、システム演算部１０２は、無人ゾーンの換気量制御方式として実負荷制御を用いることで、有人ゾーンと無人ゾーンの合計の換気量が必要換気量に達するようにする。このようにすることで、領域ＩＩでも省エネルギー効果が得られる。
【００３９】
また、領域ＩＩＩでは、外気冷房効果により室内の温度調整が可能となる。領域ＩＩＩでは、システム演算部１０２は、有人ゾーンの換気量制御方式として室温制御を用いる。一方、システム演算部１０２は、無人ゾーンの換気量制御方式として実負荷制御を用いる。外気温度が低いほど外気冷房効果が大きくなるので、システム演算部１０２は、有人ゾーンの換気量は少なくなり、無人ゾーンの換気量は多くなるように制御する。
【００４０】
図６の（ｃ）は、有人ゾーンの換気量と無人ゾーンの換気量と、有人ゾーンの換気量と無人ゾーンの換気量との合計と、必要換気量との関係を示す。有人ゾーンと無人ゾーンの換気量は、図６の（ｃ）に示すように、領域ごとに変化する。
つまり、領域Ｉでは、システム演算部１０２は、無人ゾーンの換気量が有人ゾーンの換気量よりも多くなるように有人ゾーンの換気量と無人ゾーンの換気量とを決定する。領域ＩＩと領域ＩＩＩでは、システム演算部１０２は、有人ゾーンの換気量が無人ゾーンの換気量よりも多くなるように有人ゾーンの換気量と無人ゾーンの換気量とを決定する。特に、領域ＩＩＩでは、システム演算部１０２は、外気温度が低下するにつれて有人ゾーンにおける換気量が減少し、無人ゾーンにおける換気量が増加するように有人ゾーンの換気量と無人ゾーンの換気量とを決定する。なお、いずれの領域でも、有人ゾーンの換気量と無人ゾーンの換気量との合計は必要換気量と等しい。
【００４１】
また、図６の（ｄ）は、有人ゾーンでの室温制御における目標室内温度を示す。図６の（ｅ）は、無人ゾーンでの室温制御における目標室内温度を示す。図６の（ｄ）に示すように、システム制御部１０３が、有人ゾーンの領域ＩＩＩでは、空気調和機器３０１の設定温度よりも１℃高い温度を目標室内温度に設定する。領域ＩＩＩでは、有人ゾーンの温度が換気量により調整されるため、有人ゾーンの空気調和機器３０１の目標室内温度は設定温度から１℃高くなる。このようにすることで、換気装置３０２の換気によって有人ゾーンの空気温度を設定温度にできているときは、システム制御部１０３が、空気調和機器３０１の運転モードをサーモオフモードにする。一方、換気量によって室内の温度を調整できず、室内温度が高くなってきたら、システム制御部１０３は、空気調和機器３０１の運転モードをサーモオンモードにする。これにより、室内の温度を調整することができる。なお、システム制御部１０３は、無人ゾーンでは、全ての領域において空気調和機器３０１の目標室内温度が設定温度となるようにサーモオン／オフを制御する。
このようにすることで、換気による冷却効果にて温度調整をしつつ、無人ゾーンの換気量の調整により、有人ゾーンの換気量と無人ゾーンの換気量との合計を必要換気量と等しくすることができる。このため、換気動力を低くしつつ、有人ゾーンの空気調和負荷を低くすることができる。
【００４２】
このように、本実施の形態では、有人ゾーン及び無人ゾーンごとに個別に換気制御方式を変更する。また、外気温度によって、換気量制御方法を変更する。本実施の形態では、オフィス５００内の二酸化炭素濃度はオフィス５００内の位置、在室人数によっては変化しないことを想定している。
このため、本実施の形態では、オフィス５００の合計在室人数によってオフィス５００に必要となる必要換気量を調整していれば二酸化炭素濃度は適正に保てるという想定を前提としている。また、一方で、本実施の形態では、空気調和負荷はエリアによって異なり、エリアごとに換気量によって空気調和負荷が変化するという想定を前提としている。換言すれば、本実施の形態では、有人ゾーンの空気調和負荷を処理できれば、オフィス５００の在室者は快適であるという想定を前提としている。
なお、図６で示す例では、オフィス５００の合計在室人数は固定であり、オフィス５００の必要換気量は領域Ｉ、領域ＩＩ、領域ＩＩＩで同じであることを想定している。
【００４３】
なお、領域ＩＩと領域ＩＩＩとの境界となる室温制御変更温度は、例えば冬期の外気温度である１５℃とすることが考えられる。外気温度が１５℃以下の場合は、通常暖房運転をする外気温度帯となるが、近年では建物の断熱性が向上し、冬期でも冷房運転となるケースが増えてきている。冬期冷房運転時は本実施の形態に係るシステム制御装置１０１を用いることで少ない消費電力にてオフィス５００を冷房することができる。
室温制御変更温度の値は、システム記憶部１０５で記憶されている。
【００４４】
また、図６の（ａ）及び（ｂ）に示す、領域ごとの有人ゾーンの換気量制御方式と無人ゾーンの換気量制御方式が定義される情報が制御方式定義情報として、システム記憶部１０５で記憶されている。
また、図６の（ｃ）に示す、領域ごとの有人ゾーンの換気量と無人ゾーンの換気量との比率が定義される情報が換気量比率情報として、システム記憶部１０５で記憶されている。
【００４５】
＊＊＊動作の説明＊＊＊
次に、本実施の形態に係るシステム制御装置１０１の動作原理を説明する。
図７は、システム制御装置１０１の動作原理を示したフローチャート図である。
【００４６】
まず、ステップＳ１０１で、システム演算部１０２が必要換気量を算出する。システム演算部１０２は、オフィス５００の床面積、オフィス５００の在室人数から、必要換気量を算出する。必要換気量の算出方法は既存の方法を用いることができる。
前述したように、オフィス５００の在室人数は、例えば入退出管理装置２０１の入退出の検出結果から得られる。
【００４７】
次に、ステップＳ１０２で、システム演算部１０２が、オフィス５００内の有人ゾーンと無人ゾーンとを特定する。
システム演算部１０２は、空気調和エリア３０５ごとに有人か無人かを判定して、オフィス５００を有人ゾーンと無人ゾーンとに区分する。システム演算部１０２は、例えば、空気調和エリア３０５ごとに設けられた人感センサ２０３の感知結果を解析して、空気調和エリア３０５ごとに有人か無人かを判定する。システム演算部１０２は、人がいる空気調和エリア３０５であれば、人数の多寡によらずに、有人ゾーンと判定する。
【００４８】
次に、ステップＳ１０３で、システム演算部１０２が、現在のオフィス５００の状態が図６に示す領域Ｉ、領域ＩＩ及び領域ＩＩＩのいずれに該当するかを判定する。
つまり、システム演算部１０２は、現在の室内温度と外気温度との関係から、現在のオフィス５００の状態がいずれの領域に該当するかを判定する。
【００４９】
次に、ステップＳ１０４で、システム演算部１０２が、有人ゾーンの換気量と無人ゾーンの換気量とを決定する。
システム演算部１０２は、有人ゾーンの換気量と無人ゾーンの換気量との合計がステップＳ１０１で算出した必要換気量以上となるように有人ゾーンの換気量と無人ゾーンの換気量とを決定する。例えば、システム演算部１０２は、後述する図８に示すように、有人ゾーンの換気量制御方式と無人ゾーンの換気量制御方式から有人ゾーンの換気量と無人ゾーンの換気量とを決定する。また、システム演算部１０２は、ステップＳ１０１で算出した必要換気量に、換気量比率情報に示される有人ゾーンの換気量の比率と無人ゾーンの換気量の比率とを適用して有人ゾーンの換気量と無人ゾーンの換気量とを決定し、決定した換気量を実現するように、後述する図８のステップＳ２１１又はＳ２１２の換気ファンの回転数の調整を行ってよい。
【００５０】
図８は、有人ゾーンの換気量と無人ゾーンの換気量の決定方法の具体例を示す。
ステップＳ２０１とＳ２０２は、図７に示すステップＳ１０１とＳ１０２と同じである。このため、説明を省略する。
【００５１】
次に、ステップＳ２０３で、システム演算部１０２は、現在のオフィス５００の状態が図６に示す領域Ｉ、領域ＩＩ及び領域ＩＩＩのいずれに該当するかを判定し、また、有人ゾーンの換気量制御方式と無人ゾーンの換気量制御方式を特定する。具体的には、システム演算部１０２は、システム記憶部１０５から制御方式定義情報を読み出し、制御方式定義情報の定義に従って、有人ゾーンの換気量制御方式と無人ゾーンの換気量制御方式を特定する。
【００５２】
次に、ステップＳ２０４にて、システム演算部１０２は、実負荷制御以外の方式で換気を行った場合の換気量を算出する。
例えば、現在のオフィス５００の状態が領域Ｉに該当する場合は、制御方式定義情報では、無人ゾーンの換気量制御方式は回転数固定であるため、システム演算部１０２は、回転数固定で換気を行った場合の無人ゾーンの換気装置３０２の換気量を算出する。このように算出された無人ゾーンの換気量は予測無人ゾーン換気量に相当する。
また、現在のオフィス５００の状態が領域ＩＩに該当する場合は、制御方式定義情報では、有人ゾーンの換気量制御方式は回転数固定であるため、システム演算部１０２は、回転数固定で換気を行った場合の有人ゾーンの換気装置３０２の換気量を算出する。更に、現在のオフィス５００の状態が領域ＩＩＩに該当する場合は、制御方式定義情報では、有人ゾーンの換気量制御方式は室温制御であるため、システム演算部１０２は、室温制御で換気を行った場合の有人ゾーンの換気装置３０２の換気量を算出する。このように算出された有人ゾーンの換気量は予測有人ゾーン換気量に相当する。
【００５３】
次に、ステップＳ２０５にて、実負荷制御で換気を行った場合の換気量を算出する。
例えば、現在のオフィス５００の状態が領域Ｉに該当する場合は、制御方式定義情報では、有人ゾーンの換気量制御方式は実負荷制御であるため、システム演算部１０２は、実負荷制御で換気を行った場合の有人ゾーンの換気装置３０２の換気量を算出する。このように算出された有人ゾーンの換気量も予測有人ゾーン換気量に相当する。
また、現在のオフィス５００の状態が領域ＩＩ又は領域ＩＩＩに該当する場合は、制御方式定義情報では、無人ゾーンの換気量制御方式は実負荷制御であるため、システム演算部１０２は、実負荷制御で換気を行った場合の無人ゾーンの換気装置３０２の換気量を算出する。このように算出された無人ゾーンの換気量も予測無人ゾーン換気量に相当する。
【００５４】
次に、ステップＳ２０６で、システム演算部１０２は、ステップＳ２０４で得られた換気量とステップＳ２０５で得られた換気量とを合計して、合計換気量を得る。
【００５５】
次に、ステップＳ２０７で、システム演算部１０２は、合計換気量と必要換気量とを比較する。
合計換気量が必要換気量以上である場合は、処理がステップＳ２０８に進む。一方、合計換気量が必要換気量未満である（つまり、換気量が不足している）場合は、処理がステップＳ２１０に進む。
【００５６】
ステップＳ２０８では、システム演算部１０２は、合計換気量と必要換気量の１．２倍とを比較する。
合計換気量が必要換気量の１．２倍以下であれば、処理がステップＳ２０９に進む。一方、合計換気量が必要換気量の１．２倍を超えている（つまり、換気量が多すぎる）場合は、処理がステップＳ２１０に進む。
【００５７】
ステップＳ２１０では、システム演算部１０２は、無人ゾーンの換気量制御方式が実負荷制御であるか否かを判定する。
無人ゾーンの換気量制御方式が実負荷制御であれば、処理がステップＳ２１１に進む。一方、無人ゾーンの換気量制御方式が実負荷制御でなければ、処理がステップＳ２１２に進む。
現在のオフィス５００の状態が領域Ｉに該当する場合は、無人ゾーンの換気量制御方式は実負荷制御ではなく回転数固定なので、処理がステップＳ２１２に進む。一方、現在のオフィス５００の状態が領域ＩＩ又は領域ＩＩＩに該当する場合は、無人ゾーンの換気量制御方式は実負荷制御なので、処理がステップＳ２１１に進む。
【００５８】
ステップＳ２１１では、システム演算部１０２は、現在のオフィス５００の状態が領域ＩＩＩに該当すれば、有人ゾーンの換気量制御方式を回転数固定に変更する。現在のオフィス５００の状態が領域ＩＩであれば、有人ゾーンの換気量制御方式は回転数固定であるため、システム演算部１０２は、有人ゾーンの換気量制御方式を変更しない。
そして、システム演算部１０２は、有人ゾーンの換気量と無人ゾーンの換気量との合計換気量が必要換気量から必要換気量の１．２倍の範囲に収まるよう、算出条件たる有人ゾーンの換気ファンの回転数（固定値）を決定する。システム演算部１０２は、例えば、トライアンドエラー方式により換気ファンの回転数を変更しながら、適切な換気ファンの回転数を決定する。
【００５９】
ステップＳ２１２では、有人ゾーンの換気量と無人ゾーンの換気量との合計換気量が必要換気量から必要換気量の１．２倍の範囲に収まるよう、算出条件たる無人ゾーンの換気ファンの回転数（固定値）を決定する。システム演算部１０２は、例えば、トライアンドエラー方式により換気ファンの回転数を変更しながら、適切な換気ファンの回転数を決定する。
【００６０】
ステップＳ２０９では、システム演算部１０２は、換気量制御方式を最終的に決定する。
ステップＳ２０８からステップＳ２０９に至る場合は、システム演算部１０２は、制御方式定義情報に定義されている有人ゾーンの換気量制御方式と無人ゾーンの換気量制御方式とを最終的な換気量制御方式に決定する。また、有人ゾーンの換気量は、ステップＳ２０４又はステップＳ２０５で算出された換気量である。同様に、無人ゾーンの換気量は、ステップＳ２０５又はステップＳ２０４で算出された換気量である。例えば、現在のオフィス５００の状態が領域Ｉに該当すれば、有人ゾーンの換気量制御方式は実負荷制御であり、無人ゾーンの換気量制御方式は回転数固定である。また、有人ゾーンの換気量は、ステップＳ２０５で得られた換気量であり、無人ゾーンの換気量は、ステップＳ２０４で得られた換気量である。
また、ステップＳ２１１からステップＳ２０９に至る場合は、有人ゾーンの換気量制御方式は回転数固定であり、無人ゾーンの換気量制御方式は実負荷制御である。また、有人ゾーンの換気量は、ステップＳ２１１で得られた換気量であり、無人ゾーンの換気量は、ステップＳ２０５で得られた換気量である。
また、ステップＳ２１２からステップＳ２０９に至る場合は、有人ゾーンの換気量制御方式は実負荷制御であり、無人ゾーンの換気量制御方式は回転数固定である。また、有人ゾーンの換気量は、ステップＳ２０５で得られた換気量であり、無人ゾーンの換気量は、ステップＳ２１２で得られた換気量である。
【００６１】
＊＊＊実施の形態の効果の説明＊＊＊
以上のように、本実施の形態によれば、換気量を効率的に調整することができるため、空気調和における省エネルギー効果を得ることができる。
【００６２】
また、本実施の形態では、領域Ｉ、領域ＩＩ及び領域ＩＩＩのいずれの領域においても、有人ゾーンと無人ゾーンのどちらか一方で実負荷制御が行われ、他方で実負荷制御以外の制御が行われる（必要換気量によらずに換気量を補正する）。これにより、どの領域においても合計換気量が必要換気量から必要換気量の１．２倍の範囲内となる。なお、以上では、必要換気量から必要換気量の１．２倍の範囲を規定範囲としたが、この範囲以外の範囲を規定範囲として用いてもよい。
また、各換気装置３０２がそれぞれ換気ファンを有し、各ファンの回転数またはファンノッチを変更して換気量を制御することで、電力効率が良い運転を選択できるため、必要とされる換気量が同じでも消費電力を低減させることができる。
【００６３】
＊＊＊ハードウェア構成の説明＊＊＊
最後に、システム制御装置１０１のハードウェア構成の補足説明を行う。
図９に示すプロセッサ９０１は、プロセッシングを行うＩＣ（Ｉｎｔｅｇｒａｔｅｄ  Ｃｉｒｃｕｉｔ）である。
プロセッサ９０１は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）等である。
図９に示す主記憶装置９０２は、ＲＡＭ（Ｒａｎｄｏｍ  Ａｃｃｅｓｓ  Ｍｅｍｏｒｙ）ある。また、図９に示す補助記憶装置９０３は、ＲＯＭ（Ｒｅａｄ  Ｏｎｌｙ  Ｍｅｍｏｒｙ）、フラッシュメモリ、ＨＤＤ（Ｈａｒｄ  Ｄｉｓｋ  Ｄｒｉｖｅ）等である。
図９に示す通信装置９０４は、データの通信処理を実行する電子回路である。
通信装置９０４は、例えば、通信チップ又はＮＩＣ（Ｎｅｔｗｏｒｋ  Ｉｎｔｅｒｆａｃｅ  Ｃａｒｄ）である。
【００６４】
また、補助記憶装置９０３には、ＯＳ（Ｏｐｅｒａｔｉｎｇ  Ｓｙｓｔｅｍ）も記憶されている。
そして、ＯＳの少なくとも一部がプロセッサ９０１により実行される。
プロセッサ９０１はＯＳの少なくとも一部を実行しながら、システム演算部１０２、システム制御部１０３及びシステム通信部１０４の機能を実現するプログラムを実行する。
プロセッサ９０１がＯＳを実行することで、タスク管理、メモリ管理、ファイル管理、通信制御等が行われる。
また、システム演算部１０２、システム制御部１０３及びシステム通信部１０４の処理の結果を示す情報、データ、信号値及び変数値の少なくともいずれかが、主記憶装置９０２、補助記憶装置９０３、プロセッサ９０１内のレジスタ及びキャッシュメモリの少なくともいずれかに記憶される。
また、システム演算部１０２、システム制御部１０３及びシステム通信部１０４の機能を実現するプログラムは、磁気ディスク、フレキシブルディスク、光ディスク、コンパクトディスク、ブルーレイ（登録商標）ディスク、ＤＶＤ等の可搬記録媒体に格納されていてもよい。
【００６５】
また、システム演算部１０２、システム制御部１０３及びシステム通信部１０４の「部」を、「回路」又は「工程」又は「手順」又は「処理」に読み替えてもよい。
また、システム制御装置１０１は、処理回路により実現されてもよい。処理回路は、例えば、ロジックＩＣ（Ｉｎｔｅｇｒａｔｅｄ  Ｃｉｒｃｕｉｔ）、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）である。
なお、本明細書では、プロセッサと処理回路との上位概念を、「プロセッシングサーキットリー」という。
つまり、プロセッサと処理回路とは、それぞれ「プロセッシングサーキットリー」の具体例である。
【符号の説明】
【００６６】
１００  空気調和システム、１０１  システム制御装置、１０２  システム演算部、１０３  システム制御部、１０４  システム通信部、１０５  システム記憶部、１２１  空気調和機器制御装置、１４１  換気制御装置、２０１  入退出管理装置、２０２  温度センサ、２０３  人感センサ、３０１  空気調和機器、３０２  換気装置、３０３  給気口、３０４  ダクト、３０５  空気調和エリア、３０６  ダクト、３０９  照明設備、３１０  ダクト、３１１  担当者席、３１２  グループリーダー席、３１３  打合せスペース、３１４  ダクト、３１５  ドア、５００  オフィス。
【図１】
2020110185.tif 000003
【図２】
2020110185.tif 000004
【図３】
2020110185.tif 000005
【図４】
2020110185.tif 000006
【図５】
2020110185.tif 000007
【図６】
2020110185.tif 000008
【図７】
2020110185.tif 000009
【図８】
2020110185.tif 000010
【図９】
2020110185.tif 000011
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
換気を要する屋内空間を、人が所在している有人ゾーンと人が所在していない無人ゾーンとに区分するゾーン区分部と、
外気温度に応じて、前記有人ゾーンで発生させる換気量と前記無人ゾーンで発生させる換気量とを変化させるゾーン換気量決定部とを有する換気調整装置。
【請求項２】
前記屋内空間には、複数の換気装置が設定されており、
前記換気調整装置は、更に、
前記屋内空間で必要な換気量である必要換気量を算出する必要換気量算出部を有し、
前記ゾーン換気量決定部は、
前記有人ゾーンで発生させる換気量と前記無人ゾーンで発生させる換気量との合計値が前記必要換気量以上となるように、前記外気温度に応じて、前記有人ゾーンで発生させる換気量と前記無人ゾーンで発生させる換気量とを変化させる請求項１に記載の換気調整装置。
【請求項３】
前記ゾーン換気量決定部は、
前記外気温度と前記屋内空間の屋内温度との関係に応じて、前記有人ゾーンで発生させる換気量と前記無人ゾーンで発生させる換気量とを変化させる請求項１に記載の換気調整装置。
【請求項４】
前記屋内空間には複数の換気装置があり、前記複数の換気装置の各々は前記有人ゾーン及び前記無人ゾーンのいずれかに設置されており、
前記ゾーン換気量決定部は、
前記有人ゾーンに設置されている換気装置の換気量制御方式と前記無人ゾーンに設置されている換気装置の換気量制御方式とが前記外気温度と前記屋内温度との関係に応じて定義されている制御方式定義情報を参照し、
前記外気温度と前記屋内温度との関係に応じて、前記有人ゾーンに設置されている換気装置を前記制御方式定義情報で定義されている換気量制御方式で制御した場合に前記有人ゾーンで発生する換気量を予測有人ゾーン換気量として算出し、
前記外気温度と前記屋内温度との関係に応じて、前記無人ゾーンに設置されている換気装置を前記制御方式定義情報で定義されている換気量制御方式で制御した場合に前記無人ゾーンで発生する換気量を予測無人ゾーン換気量として算出し、
前記予測有人ゾーン換気量と前記予測無人ゾーン換気量とに基づき、前記有人ゾーンで発生させる換気量と前記無人ゾーンで発生させる換気量とを決定する請求項３に記載の換気調整装置。
【請求項５】
前記ゾーン換気量決定部は、
前記予測有人ゾーン換気量と前記予測無人ゾーン換気量の合計値と、前記屋内空間で必要な換気量である必要換気量とを比較し、
前記予測有人ゾーン換気量と前記予測無人ゾーン換気量との合計値が前記必要換気量未満である場合及び前記予測有人ゾーン換気量と前記予測無人ゾーン換気量との合計値が規定範囲を超えて前記必要換気量を上回っている場合のいずれかにおいて、前記予測有人ゾーン換気量及び前記予測無人ゾーン換気量のいずれかを、算出条件を変更して新たに算出する請求項４に記載の換気調整装置。
【請求項６】
前記ゾーン換気量決定部は、
前記外気温度が前記屋内温度を超えている場合に、前記無人ゾーンで発生させる換気量が前記有人ゾーンで発生させる換気量よりも多くなるように前記有人ゾーンで発生させる換気量と前記無人ゾーンで発生させる換気量とを決定する請求項３に記載の換気調整装置。
【請求項７】
前記ゾーン換気量決定部は、
前記外気温度が前記屋内温度を超えている場合に、前記有人ゾーンに設置されている換気装置を実負荷制御方式により制御した場合に前記有人ゾーンで発生する換気量を予測有人ゾーン換気量として算出し、前記無人ゾーンに設置されている換気装置を換気ファン回転数固定方式により制御した場合に前記無人ゾーンで発生する換気量を予測無人ゾーン換気量として算出し、前記予測有人ゾーン換気量と前記予測無人ゾーン換気量とに基づき、前記有人ゾーンで発生させる換気量と前記無人ゾーンで発生させる換気量とを決定する請求項４に記載の換気調整装置。
【請求項８】
前記ゾーン換気量決定部は、
前記外気温度が前記屋内空間の屋内温度以下である場合に、前記有人ゾーンで発生させる換気量が前記無人ゾーンで発生させる換気量よりも多くなるように前記有人ゾーンで発生させる換気量と前記無人ゾーンで発生させる換気量とを決定する請求項３に記載の換気調整装置。
【請求項９】
前記ゾーン換気量決定部は、
前記外気温度が前記屋内温度以下である場合に、前記有人ゾーンに設置されている換気装置を換気ファン回転数固定方式及び室内温度制御方式のいずれかにより制御した場合に前記有人ゾーンで発生する換気量を予測有人ゾーン換気量として算出し、前記無人ゾーンに設置されている換気装置を実負荷制御方式により制御した場合に前記無人ゾーンで発生する換気量を予測無人ゾーン換気量として算出し、前記予測有人ゾーン換気量と前記予測無人ゾーン換気量とに基づき、前記有人ゾーンで発生させる換気量と前記無人ゾーンで発生させる換気量とを決定する請求項４に記載の換気調整装置。
【請求項１０】
前記ゾーン換気量決定部は、
前記外気温度が前記屋内温度よりも低く、規定の閾値以下である場合に、前記外気温度が低下するにつれて前記有人ゾーンにおける換気量が減少し、前記無人ゾーンにおける換気量が増加するように前記有人ゾーンで発生させる換気量と前記無人ゾーンで発生させる換気量とを決定する請求項３に記載の換気調整装置。
【請求項１１】
前記ゾーン換気量決定部は、
前記外気温度が前記閾値以下である場合に、前記有人ゾーンに設置されている換気装置を室内温度制御方式により制御した場合に前記有人ゾーンで発生する換気量を予測有人ゾーン換気量として算出し、前記無人ゾーンに設置されている換気装置を実負荷制御方式により制御した場合に前記無人ゾーンで発生する換気量を予測無人ゾーン換気量として算出し、前記予測有人ゾーン換気量と前記予測無人ゾーン換気量とに基づき、前記有人ゾーンで発生させる換気量と前記無人ゾーンで発生させる換気量とを決定する請求項１０に記載の換気調整装置。
【請求項１２】
前記屋内空間には空気調和機器が設置されており、
前記換気調整装置は、更に、
前記有人ゾーンに設置されている換気装置を前記室内温度制御方式により制御する場合に、前記室内温度制御方式での目標温度を前記空気調和機器の現在の設定温度よりも高い温度に設定する目標温度管理部を有する請求項１１に記載の換気調整装置。
【請求項１３】
前記換気調整装置は、更に、
前記目標温度管理部により前記室内温度制御方式での目標温度が前記空気調和機器の現在の設定温度よりも高い温度に設定された場合に、前記空気調和機器の運転モードをサーモオフモード及び送風モードのいずれかに変更するモード管理部を有する請求項１２に記載の換気調整装置。
【請求項１４】
前記必要換気量算出部は、
前記屋内空間に所在する人数及び前記屋内空間での二酸化炭素濃度のうちの少なくともいずれかに基づき、前記屋内空間に要する必要換気量を算出する請求項２に記載の換気調整装置。
【請求項１５】
コンピュータが、換気を要する屋内空間を、人が所在している有人ゾーンと人が所在していない無人ゾーンとに区分し、
前記コンピュータが、外気温度に応じて、前記有人ゾーンで発生させる換気量と前記無人ゾーンで発生させる換気量とを変化させる換気調整方法。
【国際調査報告】
2020110185.tif 000012
2020110185.tif 000013
2020110185.tif 000014